(57)【特許請求の範囲】
【請求項１】
線路側端子と接地側端子との間に放電素子が導通配設され、この放電素子が碍管の内部に形成された密閉空間内に配設されている避雷器において、
上端が前記密閉空間に連通すると共に下端が外気に開口する通気管が設けられ、
この通気管内に、通気性及び透湿性を有する膜体によって区画された複数の小室が形成されて、密閉空間から外気への水蒸気移動によって密閉空間内を除湿する水蒸気移動制御装置が組み込まれていることを特徴とした避雷器。
【請求項２】
線路側端子と接地側端子との間に放電素子が導通配設され、この放電素子が碍管の内部に形成された密閉空間内に配設されている避雷器において、
上端が前記密閉空間に連通すると共に下端が外気に開口する通気管が設けられ、この通気管内に、通気性及び透湿性を有する膜体によって区画された複数の小室が形成されて、密閉空間から外気への水蒸気移動によって密閉空間内を除湿する水蒸気移動制御装置が組み込まれ、
前記小室又は密閉空間の内部に上端口が開口すると共に、下端口が外気に開口するガイド管が設けられ、このガイド管の内部に柔軟薄膜素材による気密性アキュムレータが設けられ、この気密性アキュムレータは外周部がガイド管の内周に気密状態に取り付けられると共に、上面が可撤性維持体によってガイド管に吸着され、この可撤性維持体による吸着が解除したときに自重により落下してガイド管の下端から垂下状態に露出する警告目印部材が気密性アキュムレータの下面に取り付けられていることを特徴とした避雷器。
【発明の詳細な説明】
【０００１】
【発明の属する技術分野】
本発明は、主に電柱に設置され、落雷による高電圧を接地により大地に逃がすための避雷器に関し、特に、特殊な膜体とその配列で水蒸気の移動方向を制御することによって、避雷器内部を除湿することができるようにした避雷器に関する。
【０００２】
【従来の技術】
避雷器は、線路側端子と接地側端子との間に放電素子（酸化亜鉛ブロックや放電管）が導通配設され、この放電素子が碍管の内部に密閉空間内に配設されたものとなっている。
避雷器は、異常電圧の軽減または防護を目的としている。電力系統の絶縁強調は避雷器の保護特性を充分に生かすことを前提としている。したがって、これを合理的に行うためには、電力系統に発生する各種の過電圧の大きさや設置点における雷特性、雷遮蔽の条件などを考えて、避雷器の定格電圧、放電電流、制限電圧を決める必要がある。さらに、超高圧以上の電力系統においては、雷サージと同時に、開閉サージに対して避雷器が動作することを考慮し、そのエネルギーに十分耐え、これを処理することが可能な避雷器を選定する必要がある。
避雷器は、これによって保護される機器との距離をできるだけ短くした場合に、その効果がもっとも良く発揮されるが、両者の隔離距離が大きくなると、被保護機器の両端には制限電圧より高い電圧が現れる。
このような点を考慮して、電力用機器の雷インパルス耐電圧を制限電圧より高くしておくのが一般的である（P.１８５−１８６、電気学会発行、電気学会大学講座、高電圧工学（第二次改訂版）、１９８１年１１月１０日第二次改訂版より抜粋）。
耐電圧を確保する手段として、現在多く避雷器に用いられている材料は、電気的な特殊抵抗材料、または、特殊なガスを封入したギャップを有する避雷放電管、または、単純な気中離隔によるギャップなどがある。
たとえば、前記の電気的な特殊抵抗材料としては、サーミスタ材料のような半導体材料としてＣuＯ、Ｕ３Ｏ８、Ｆe３Ｏ４などや、バリスタ材料としてＳｉＣ、ＺnＯなどが用いられているが、これらが放電素子として使用されている。この目的のためには、これらの材料の中を電流が通ることによって目的が達せられる。
また、避雷放電管や単純な気中離隔によるギャップにおいては、離隔した電極同士を絶縁するために無機物や有機物を用いてさまざまな絶縁材料が用いられるが、この場合においても、絶縁物表面に沿う放電路を通じて展開される放電現象、沿面放電（P.８５、平成１年６月１日再版７刷発行、改訂新版放電ハンドブック）に対して対処策が構じられている。
このような対策にもかかわらず、これらの抵抗材料を収容する空間の密閉は、過酷な天然の温度変動により、気密部の破壊が起こり、完全な気密構造を確保することが困難であった。また、もしもこのような気密構造を機械的な強度のみから確保しようとすれば質量が著しく増してしまうという問題があった。
この場合、従来では、密閉空間は一応の密閉構造には形成されているものの完全な密封構造とは言い難く、このため、雨水の侵入や結露によって密閉空間内の放電素子に水滴が付着しているのが現状である。
このように、放電素子に水滴が付着すると、雨滴や霧などの天然の水分中に含まれる電解質が表面に付着することになり、湿潤と乾燥を反復する日々の温度変動が起これば、絶縁材料の部分の表面汚損をきたし、また密閉空間内に高濃度に分布するようになった電解質および水滴が悪作用し、沿面放電など、この水滴などを伝って落雷時の電流が流れてしまい、この結果、放電素子が正常に機能しないというトラブルが発生する。
また、避雷器において、気中ギャップの電極が外気中に露出したものもあるが、この場合、電極の表面汚損による放電特性の変化や、悪天候による絶縁特性の劣化、据え付け時などにおこり得る外力によるギャップ距離の変動による絶縁特性の変化があった。
この場合、従来では、密閉空間は一応の密封構造には形成されているものの完全な密封構造とは言い難く、このため、雨水の侵入や結露によって密閉空間内の放電素子に水滴が付着しているのが現状である。
このように、放電素子に水滴が付着すると、この水滴等を伝って落雷時の電流が流れてしまい、この結果、放電素子が正常に機能しないというトラブルが発生する。
また、避雷器において、気中ギャップの電極が外気中に露出したものもあるが、この場合、電極の表面汚損による放電特性の変化や、悪天候による絶縁特性の劣化、据え付け等などにおこり得る外力によるギャップ距離の変動による絶縁特性の変化があった。
そこで従来、密閉空間内に乾燥剤を組み込み、この乾燥剤によって密閉空間内を除湿し、放電素子に水滴が付着するのを防止するようにしたものが知られている。
【０００３】
又、避雷器に落雷が生じた場合、放電素子が破壊されてその使用が不能になるため、避雷器を交換する必要がある。従来、この交換対象となる避雷器の発見を地上から容易にできるようにするため、避雷器に警告目印部材を取り付け、この警告目印部材の取付部に火薬を仕込み、この火薬を落雷による高電圧によって爆発させることで警告目印部材を露出させ、発見の目印となるようにしたものがある。
【０００４】
尚、従来、膜体の通気度及び透湿度を使用し、密閉空間内と外気との温度変動速度により、密閉空間内を除湿するように水蒸気の移動を制御する水蒸気移動制御装置が既に提案されているが、この水蒸気移動制御装置を避雷器に組み込んだものは見受けられない。
【０００５】
【発明が解決しようとする課題】
しかしながら、従来のように、乾燥剤によって密閉空間内を除湿するものでは、乾燥剤の除湿能力が小さいため、十分な除湿ができないという問題があった。又、警告目印部材を火薬の爆発によって露出させるものでは、火薬を用いることの危険性を伴うという問題があった。
【０００６】
本発明は、上述のような従来の問題を解決するためになされたもので、膜体を用いた水蒸気移動制御装置を組み込むことにより、確実かつ十分に密閉空間内を除湿することができるようにした避雷器を提供することを第１の課題としている。
加えて、落雷を受けた避雷器の発見が地上からの目視で容易にでき、又、膜体の目詰まり等、水蒸気移動制御装置に異常が生じた場合の発見についても地上からの目視で容易にできる避雷器を提供することを第２の課題としている。
【０００７】
【課題を解決するための手段】
上記第１の課題を解決するために、本発明（請求項１）の避雷器は、
線路側端子と接地側端子との間に放電素子が導通配設され、この放電素子が碍管の内部に形成された密閉空間内に配設されている避雷器において、
上端が前記密閉空間に連通すると共に下端が外気に開口する通気管が設けられ、  この通気管内に、通気性及び透湿性を有する膜体によって区画された複数の小室が形成されて、密閉空間から外気への水蒸気移動によって密閉空間内を除湿する水蒸気移動制御装置が組み込まれている構成とした。
【０００８】
この発明（請求項１）の避雷器では、密閉空間と外気を連通する通気管内に水蒸気移動制御装置が設けられている。そして、この水蒸気移動制御装置は、膜体の通気度及び透湿度を利用しながら、密閉空間と外気との温度変動速度により、水蒸気の移動を制御することから、高い除湿性能を持ち、密閉空間を確実かつ十分に除湿することができる。
尚、膜体としては、不織布として、ナイロン（４０Ｄ、５０Ｄ、１５Ｄ）、ＰＦ（１４１４）、ポリオレフィン、ポリエステル等が用いられ、この不織布の表面に撥水処理として、フッ素加工、四フッ化エチレン（１０１０）加工、スチレン（１０３０、１１５０）加工等が施されている透湿性膜を使用する。このほか、透湿性を有し、撥水性を持つ透湿膜を使用することができる。又、吸水することにより、伸縮する素材又は、例えば、カーボン繊維を含む非伸縮性素材を使用することもできる。
従って、雨水の侵入や結露によって密閉空間内が高湿度になったとしても、これを水蒸気移動制御装置により除湿して、放電素子に水滴が付着するのを防止することができるため、水滴を伝って落雷時の電流が流れることによって放電素子が正常に機能しないというトラブルの発生を防止できる。
【０００９】
又、上記第２の課題を解決するために、本発明（請求項２）の避雷器は、
線路側端子と接地側端子との間に放電素子が導通配設され、この放電素子が碍管の内部に形成された密閉空間内に配設されている避雷器において、
上端が前記密閉空間に連通すると共に下端が外気に開口する通気管が設けられ、この通気管内に、通気性及び透湿性を有する膜体によって区画された複数の小室が形成されて、密閉空間から外気への水蒸気移動によって密閉空間内を除湿する水蒸気移動制御装置が組み込まれ、
前記小室又は密閉空間の内部に上端口が開口すると共に、下端口が外気に開口するガイド管が設けられ、このガイド管の内部に柔軟薄膜素材による気密性アキュムレータが設けられ、この気密性アキュムレータは外周部がガイド管の内周に気密状態に取り付けられると共に、上面が可撤性維持体（磁石、スナップ、ホルダ等）によってガイド管に吸着され、この可撤性維持体による吸着が解除したときに自重により落下してガイド管の下端から垂下状態に露出する警告目印部材が気密性アキュムレータの下面に取り付けられている構成とした。
【００１０】
水蒸気移動制御装置の主構成部材となる膜体には、多数の微細孔が形成されているため、この微細孔が微粉塵等によって目詰まりを起こすことがある。このように膜体の微細孔が目詰まりを起こすと、水蒸気の移動が得られないため、本来の機能を果たすことができないことになるし、密閉空間又は小室の内部の圧力上昇によって膜体が破損してしまうというトラブルが生じる。
又、この水蒸気移動制御装置を設けた密閉空間の圧力と外気との圧力差は、水蒸気移動制御装置にとって有害である。
【００１１】
このような問題に対し、本発明（請求項２）では、膜体の微細孔が目詰まりを起こすと、水蒸気の移動が得られなくなって密閉空間又は小室に圧力上昇が生じるという点に着目している。
即ち、水蒸気移動制御装置の正常時には、気密性アキュムレータの上面が磁石によってガイド管に吸着され、この気密性アキュムレータの下面に取り付けられた警告目印部材はガイド管の内部に格納された状態になっている。
そして、膜体に目詰まりが生じることによって密閉空間又は小室に圧力上昇が生じると、この圧力はガイド管の内部に設けた気密性アキュムレータによって吸収される。これにより内外圧力差が緩衝され、水蒸気移動制御装置の機能を維持することができる。
又、著しい圧力上昇が生じると、気密性アキュムレータを押し下げるように作用する。これにより可撤性維持体によってガイド管に吸着されていた気密性アキュムレータの先端が解除され、これに伴って警告目印部材が自重により落下してガイド管から垂下状態に露出する。
このように、警告目印部材がガイド管から垂下状態に露出して目立つことから、これを地上からの目視でも容易に確認することができる。
【００１２】
又、避雷器が落雷を受けた場合、落雷による高電圧は線路側端子から入力し、放電素材を経て接地側端子から大地に逃がされる。
そして、この落雷による高電圧が放電素材に加わると、その放電に伴う発熱によって密閉空間内の空気が膨張したり、放電素材に含まれた水分の蒸発による水蒸気圧の上昇によって密閉空間や小室内部に急激な圧力上昇が生じ、この圧力が気密性アキュムレータを押し下げるように作用して、上述と同様の作用で警告目印部材が自重により落下し、ガイド管の下端から垂下状態に露出する。
【００１３】
【発明の実施の形態】
以下、本発明の実施の形態を図面により説明する。図１は本発明の実施の第１形態であって、避雷器の断面図、図２は図１のＡ−Ａ断面図、図３は図１のＢ−Ｂ断面図である。尚、以下の各実施の形態において、同一構成部分については図面の符号を同一にする。
【００１４】
図において、１は碍管で、内部上側に密閉空間１０が形成され、下端外周部に２重のスカート１１，１１が形成され、上端に絶縁カバー１２が嵌着されている。
前記密閉空間１０内には、上端側から順に、線路側端子２０、導通金具２１、酸化亜鉛ブロック２２（放電素子）、スプリング２２ａ、酸化亜鉛ブロック２２（放電素子）、放電管２３（放電素子）が導通配設されている。
この場合、線路側端子２０の下端にキャップ状金具２４が導通配設され、このキャップ状金具２４を碍管１の上端外周に突設した段部１３にシールリング１４を介して嵌合させることにより、密閉空間１０の上端が密閉されている。
又、前記絶縁カバー１２は、キャップ状金具２４を覆うと共に、線路側端子２０を貫通させる状態で碍管１の上端に嵌合されている。
【００１５】
尚、前記酸化亜鉛ブロック２２の放電特性を図４に、放電管２３の放電特性を図５に示している。
酸化亜鉛ブロック２２は、低電圧の状態からでも電流の流れが生じており、、電圧が上昇するにつれて電流の流れが大きくなっていく。又、放電管２３は、低電圧の状態では電流の流れが抑えられ、電圧が上昇するにつれて電流の流れが大きくなっていく。従って、放電管２３を酸化亜鉛ブロック２２の下流側に配置することにより、通常時における酸化亜鉛ブロック２２の放電を抑えることができ、漏電損失を防止できる。
【００１６】
又、碍管１の内部下側には、シールリング３０を介して金属製の通気管３が嵌合されている。この通気管３は、前記放電管２３に導通する状態で、上端が前記密閉空間１０に連通すると共に下端が外気に開口している。
この場合、図２に示すように、通気管３の上端に波形穴３１を形成し、その波形突出縁の中程部分に放電管２３の下端面を当接することにより、放電管２３と通気管３を導通させながら、密閉空間１０と通気管３とを波形穴３１の谷部空隙３１ａを介して連通させている。
又、この通気管３の下側部分は碍管１の下端から下方に延長され、その延長下端部に碍子４が接着セメントを介して嵌着され、この碍子４に掛け回したバンド４０によって電柱の横腕５に取り付けるようになっている。
又、通気管３の延長基部の外周には、図３に示すように、放射状に多数の放熱フィン３２が突設され、この放熱フィン３２によって通気管３内部の温度上昇を抑制している。
この放熱フィン３２としては、熱伝導性の高い金属、例えば、アルミニウムが用いられている。又、この放熱フィン３２に日避け板等を設けるようにしてもよい。
尚、３３は接地側端子で、通気管３の下端にナット３４による締結で取り付けられている。
【００１７】
そして、前記通気管３内に、通気性及び透湿性を有する膜体６０によって区画された複数の小室６１が形成されて、密閉空間１０から外気への水蒸気移動によって密閉空間１０内を除湿する水蒸気移動制御装置６が組み込まれている
この場合、通気性及び透湿性を有する３枚の膜体６０がアルミナ表面処理を施したアルミ製のスペーサ６２を介して一定間隔で配設され、この膜体６０，６０，６０間に２個の小室６１，６１に区画形成されている。尚、膜体６０の周囲には、シール用のパッキンが設けられている。尚、このスペーサとして、断熱性を有するセラミック等の多孔体を用いることができるし、スペーサと通気管との間に断熱層を形成することができる。
又、各膜体６０の下面側には、膜体６０に近接して高熱伝導性多孔体としての熱伝導速度が速い銅や白金やアルミによるメッシュプレート６３が配置され、このメッシュプレート６３の熱伝導性によって膜体６０の表面温度分布を均一にし、又、メッシュプレート６３をスペーサ６２の表面に形成した導通面を介して通気管３に導通させて接地することにより、膜体６０の誘電緩和を促すようにしている。尚、高熱伝導性多孔体の代わりに、低熱伝導性多孔体を配設してもよい。
【００１８】
そして、この水蒸気移動制御装置６は、各膜体６０の通気度及び透湿度を利用しながら、外気と密閉空間１０の温度変動速度により、密閉空間１０と外気との間で水蒸気の移動を制御するものとなっている。尚、この実施の形態では、上側の膜体として微細孔が２．０μｍの膜体、中間の膜体として微細孔が２．５μｍの膜体、下側の膜体として微細孔が１．５μｍの膜体を使用し、中間の膜体が最も透湿度が高く、次に上側の膜体が高く、下側の膜体の透湿度が最も低くなるように設定している。尚、この配置は、これに限定されるものではなく、上側、中間、下側の順に、次第に透湿度が低くなるように設定してもよい。
【００１９】
又、前記通気管３の内部にはガイド管７が設けられ、このガイド管７の中心には、上端口が小室６１内部に開口すると共に、下端口が外気に開口するガイド穴７０が設けられ、このガイド穴７０の内部に柔軟薄膜素材（ゴム、シリコン、耐油性シリコン、ラテックス、樹脂フイルム等）による気密性アキュムレータ８が設けられている。
この気密性アキュムレータ８は下端の外周部がガイド穴７０の内周に気密状態に取り付けられると共に、上面に吸着磁石８０（可撤性維持体）が取り付けられ、この吸着磁石８０がガイド穴７０の上端に設けた固定磁石８１（可撤性維持体）に吸着されるようになっている。
又、この気密性アキュムレータ８の上端下面には警告目印部材としての棒状目印９０が取り付けられている。この棒状目印９０は前記固定磁石８１に対する吸着磁石８０の吸着が解除したときに自重により落下してガイド穴７０の下端から垂下状態に露出するもので、常時は固定磁石８１に対する吸着磁石８０の吸着によってガイド穴７０の内部に格納されている。尚、棒状目印９０は、離れた場所からも目立つように赤色等の色彩や螢光色等によって着色されている。
【００２０】
尚、前記ガイド管７の肉厚内には、図３に示すように通気穴７１が形成され、この通気穴７１を介して水蒸気移動制御装置６の下端口を外気に連通させることにより、外気の風が水蒸気移動制御装置６の下端口に侵入するのを抑制し、風による水蒸気移動制御装置６への悪影響を防いでいる。尚、前記通気穴７１は、角張りのない円形穴に形成され、これは角張り部分には水分が付着しやすいことから、この水分の付着を防止するために円形穴に形成した。
【００２１】
次に作用を説明する。
この避雷器では、密閉空間１０と外気を連通する通気管３内に水蒸気移動制御装置６が設けられている。そして、この水蒸気移動制御装置６は、膜体６０の通気度及び透湿度を利用しながら、密閉空間１０と外気との温度変動速度により、水蒸気の移動を制御することから、高い除湿性能を持ち、密閉空間１０を確実かつ十分に除湿することができる。
従って、雨水の侵入や結露によって密閉空間１０内が高湿度になったとしても、これを水蒸気移動制御装置６により除湿して、放電素子である酸化亜鉛ブロック２２や放電管２３に水滴が付着するのを防止することができるため、水滴を伝って落雷時の電流が流れることによって放電素子が正常に機能しないというトラブルの発生を防止できる。
【００２２】
又、水蒸気移動制御装置６の正常時には、気密性アキュムレータ８の上面が磁石８０，８１によって吸着され、この気密性アキュムレータ８の下面に取り付けられた棒状目印９０はガイド管７のガイド穴７０内に格納された状態になっている。
そして、膜体に目詰まり又は予期しない温度変動によって密閉空間１０又は小室６１に圧力上昇が生じると、この圧力はガイド穴７０に設けた気密性アキュムレータ８によって吸収される。これにより内外圧力差が緩衝され、水蒸気移動制御装置６の機能を維持することができる。又、密閉空間１０又は小室６１内部の圧力変動は、常時、平素の日交差などにより生じており、このような圧力変動についても、気密性アキュムレータ８により緩衝される。
又、機能的に許容以上の著しい圧力上昇が生じると、この圧力が気密性アキュムレータ８を押し下げるように作用する。これにより図１仮想線で示すように、吸着磁石８０と固定磁石８１との吸着が解除され、気密性アキュムレータ８の先端が外れ、これに伴って棒状目印９０が自重により落下してガイド管７の下端から垂下状態に露出する。
このように、棒状目印９０がガイド管７から垂下状態に露出して目立つことから、これを地上からの目視でも容易に確認することができる。
【００２３】
次に、避雷器が落雷を受けた場合、落雷による高電圧は線路側端子２０から入力し、酸化亜鉛ブロック２２、放電管２３を経て接地側端子３３から大地に逃がされる。
そして、この落雷による高電圧が酸化亜鉛ブロック２２や放電管２３を加わると、その放電に伴う発熱によって密閉空間１０内の空気が膨張したり、酸化亜鉛ブロック２２に含まれた水分の蒸発による水蒸気圧の上昇によって密閉空間１０や小室６１内部に急激な圧力上昇が生じ、この圧力が気密性アキュムレータ８を押し下げるように作用して、上述と同様の作用で棒状目印９０が自重により落下し、ガイド管７の下端から垂下状態に露出する。
【００２４】
次に、図６は実施の第２形態であって、避雷器の要部を示す断面図である。
この実施の第２形態では、警告目印部材として、帯状シートをロール状に巻取った巻取シート９２が用いられている。
この巻取シート９２の外端はガイド管７の内部に固定した下向きカップ９３の内周に固定され、他方、巻取シート９２の内端は芯材９４に固定され、この芯材９４は上端が磁性体９５で形成されると共に上端部分が下向きカップの上面を貫通して吸着磁石８０に吸着されている。この場合、芯材９４の磁性体９５は、吸着磁石８０が固定磁石８１に吸着している状態では吸着磁石８０に吸着され、吸着磁石８０が固定磁石８１から外れたときには吸着磁石８０から外れるように、その吸着磁石８１の磁力と芯材９４の重量とが設定されている。
【００２５】
従って、図６（イ）の状態で、膜体６０の目詰まり等により圧力上昇が生じると、その圧力により気密性アキュムレータ８が押し下げられ、図６（ロ）に示すように、吸着磁石８０と固定磁石８１との吸着が解除し、同時に芯材９４の磁性体９５が吸着磁石８０から外れて芯材９４が落下する。そして、この芯材９４の落下により引っ張られて巻取シート９２は内端から垂れ落ちていき、巻取シート９２がつる巻状の垂下状態で露出する。
このように、巻取シート９２を用いることで、格納状態ではコンパクトにしながら垂下状態では長さをかせいで、目立ち易くすることができる。尚、その他の構成及び作用は実施の第１形態と同様である。
【００２６】
次に、図７は本発明の実施の第３形態であって、避雷器の断面図、図８は図７のＣ−Ｃ断面図、図９は要部の拡大図である。
この避雷器では、密閉空間１０と水蒸気移動制御装置６が通気部材３６を介して連通され、また、水蒸気移動制御装置６に連通する３本の通気穴７１がガイド管７ａ，７ｂの肉厚内に形成され、又、小室６１内部に開口した３本の連通穴７２が前記通気穴７１と交差してガイド管７の中心に形成されたガイド穴７０に連通するように形成されたものとなっている。尚、前記ガイド管７ａ，７ｂは絶縁体になっている。
このように通気穴７１と連通穴７２を交差して、外気への交通路となる通気穴７１を外側に配設すると、結露が生じにくくなり、トラブルの発生を防止することができる。
【００２７】
又、水蒸気移動制御装置６は、通気管３の内部には通気部材３６の下側に内筒３７が嵌合され、この内筒３７の内部にスペーサ６４ａ，６４ｂ，６４ｃを介して膜体６０ａ，６０ｂ，６０ｃが配設され、この各膜体間に小室６１ａ，６１ｂが形成されたものとなっている。尚、膜体６０ａ，６０ｂ，６０ｃの配置は、密閉空間１０に対し、中間の膜体６０ｂが下側の膜体６０ｃよりもやや透湿度が高くなるようにして、小室６１ａと小室６１ｂの間の逆流を阻止するようにしてもよい。尚、膜体６０ａ，６０ｂ，６０ｃの面積は、このような目的で、適宜に設定できる。
前記内筒３７及び各スペーサ６４ａ，６４ｂ，６４ｃは塩ビやポリエチレン等の熱可塑性樹脂で押し出し鋳型成型され、その表面に導通処理、例えばメッキや蒸着処理を施している。このとき、これらの導通面に耐触処理を施してもよい。したがって、各膜体６０ａ，６０ｂ，６０ｃの下面側に設けたメッシュプレート６３はスペーサ６４ａ，６４ｂ，６４ｃを介して通気部材３６に導通され、この通気部材３６から通気管３を経て接地側端子３３に至る接地経路で接地される。尚、落雷時は、電気導通体である通気部材３６→通気管３→接地側端子３３の順の高電圧放電経路で放電される。
【００２８】
尚、図中２２ｂは避雷素子ケーシング、又、２２ｃは避雷素子スペーサで、密閉空間１０はこれにより上下に分断されない。また、７５は断熱用空間、６９は膜体シール部である。
また、前記通気管３及びガイド管７の下端は水の付着を防止するため、水切りができるように傾斜面３５に形成されている。
又、碍管１及び碍子４は絶縁体であり、そして、碍管１の下端外周は沿面絶縁を図るために３重のスカート１１によってヒダ状に形成している。
又、通気路を形成するスペーサ６４ａ，６４ｂ，６４ｃの内面や通気穴７１、それに密閉空間１０の内表面は結露防止のために滑沢に形成され、結露が生じにくい表面処理、例えば、撥水剤や防カビ剤を塗布するのが好ましい。
【００２９】
又、前記ガイド穴７０の上端にホルダ８５が取り付けられ、このホルダ８５に着脱可能に嵌合するスナップ８６が気密性アキュムレータ８の上端に取り付けられ、このホルダ８５とスナップ８６を可撤性維持体としている。そして、この可撤性維持体としてホルダ８５とスナップ８６との結合が解除したときに自重により落下してガイド管７の下端から垂下状態に露出する警告目印部材９０が気密性アキュムレータ８の下面に取り付けられている。尚、気密性アキュムレータ８は、上端から垂設された紡錘形の拡張子８７を被る状態に配設され、この拡張子８７によって気密性アキュムレータ８を構成する柔軟薄膜素材のひっつきを防止している。
尚、図９において、５５はリミットスイッチであり、前記スナップ８６のホルダ８５に対する結合が解除して、気密性アキュムレータ８及び警告目印部材９０が落下するのを検出し、その検出信号を電柱に取り付けた制御部５６に出力する。この信号を受けた制御部５６は、警告目印部材９０の落下を表示する表示灯５７を点灯（点滅）させると同時に電力会社の指令監視装置５８に信号を出力し、この信号を受けた指令監視装置５８によって落雷を受けた電柱（避雷器）を認識することができる。これにより、避雷器の交換等、早急な対応ができる。
又、通気穴７１とガイド穴７０とは膜体６５を介して連通され、これによりに気密性アキュムレータ８を収容するガイド穴７０内の結露が防止され、気密性アキュムレータ８を構成する柔軟薄膜素材のひっつきの防止及び水の溜りを防止して、トラブル発生を予防している。
【００３０】
したがって、高圧印加時の放電等により生じる密閉空間１０の圧力上昇によって、膜体６０ａ，６０ｂなどが破壊し、小室６１ａの圧力上昇が小室６１ｂの圧力上昇に直接影響する。そこで、小室６１ｂの圧力上昇が連通穴７２を経由してガイド穴７０の圧力上昇となり、気密性アキュムレータ８を押し下げる。この後は、膜体６０ａ，６０ｂの破壊により気密性アキュムレータ８は垂下し、警告目印部材９０を明示した状態になるが、外気との交通路は膜体６５により保たれるようにしてもよい。又、膜体６５が破壊した場合には、避雷素子を収容した密閉空間１０は、小室６１ａ→小室６１ｂ→連通穴７２→ガイド穴７０→通気穴７１→外気の交通路を確保し、密閉空間１０の異常な高湿度状態への移行を防止することができる。このように、フェールセーフの機能を有する。
また、膜体に目詰まり又は予期しない温度変動によって密閉空間１０等に圧力上昇が生じると、この圧力はガイド穴７０に設けた気密性アキュムレータ８によって吸収される。これにより内外圧力差が緩衝され、又、気密性アキュムレータ８の膨大又は縮小が僅かに生じ、例えば、ガイド穴７０や連通穴７２内に水が溜まって機能停止に至らないように、膜体６５による通気とともに水蒸気移動制御装置６の機能を維持することができる。
なお、膜体６０ｃならびに膜体６５の透湿量及び通気量は、膜体６０ａ，６０ｂとの透湿量及び通気量により決定され、密閉空間１０内を調湿する。
【００３１】
以上、本発明の実施の形態を図面により説明したが、具体的な構成はこれに限定されることはない。
例えば、実施の形態では、放電素材として、酸化亜鉛ブロックと放電管の両者を備えたものを示したが、酸化亜鉛ブロックだけを設けた避雷器、放電管だけを設けた避雷器にも本発明の構成を適用することができる。
又、実施の形態では、ガイド管の上端を小室内に開口させたものを示したが、ガイド管の上端を密閉室内に開口させてもよい。
又、警告目印部材としては、磁石による吸着が解除したときに自重により落下してガイド管から垂下状態に露出するものであれば、その形状に限定はない。
【００３２】
【発明の効果】
以上説明してきたように、本発明（請求項１）の避雷器にあっては、密閉空間と外気を連通する通気管内に水蒸気移動制御装置を設けたので、雨水の侵入や結露によって密閉空間内が高湿度になったとしても、これを水蒸気移動制御装置により除湿して、放電素子に水滴が付着するのを防止することができる。従って、水滴を伝って落雷時の電流が流れることによって放電素子が正常に機能しないというトラブルの発生を防止できるという効果が得られる。
【００３３】
又、本発明（請求項２）の避雷器にあっては、気密性アキュムレータ及び警告目印部材を設けたので、平素の日交差などにより生じている圧力変動、それに膜体の目詰まりや予期しない温度変動によって密閉空間又は小室に生じた圧力上昇を気密性アキュムレータによって吸収することができる。これにより内外圧力差が緩衝され、水蒸気移動制御装置の機能を維持することができる。
又、密閉空間又は小室に著しい圧力上昇が生じたとき、この圧力によって気密性アキュムレータを押し下げて、警告目印部材を自重により落下させ、ガイド管から垂下状態に露出させることができる。
又、避雷器が落雷を受けた場合には、密閉空間内の圧力上昇に伴い、上記と同様に気密性アキュムレータを押し下げて、警告目印部材をガイド管から垂下状態に露出させることができる。
このように、落雷を受けた避雷器の発見、膜体の目詰まり等、水蒸気移動制御装置に異常が生じた避雷器の発見が地上からの目視で容易にできるという効果が得られる。
【図面の簡単な説明】
【図１】実施の第１形態であって、避雷器の断面図である。
【図２】図１のＡ−Ａ断面図である。
【図３】図１のＢ−Ｂ断面図である。
【図４】酸化亜鉛ブロックの放電特性を示す図である。
【図５】放電管の放電特性を示す図である。
【図６】実施の第２形態であって、避雷器の要部を示す断面図である。
【図７】実施の第３形態であって、避雷器の断面図である。
【図８】図７のＣ−Ｃ断面図である。
【図９】この避雷器の要部の拡大図である。
【符号の説明】
１  碍管
１０  密閉空間
２０  線路側端子
３３  接地側端子
２２  酸化亜鉛ブロック（放電素子）
２３  放電管（放電素子）
３  通気管
６  水蒸気移動制御装置
６０  膜体
６１  小室
７  ガイド管
８  気密性アキュムレータ
８０  吸着磁石（可撤性維持体）
８１  固定磁石（可撤性維持体）
８５  ホルダ（可撤性維持体）
８６  スナップ（可撤性維持体）
９０  棒状目印（警告目印部材）
【図１】
0004372910.tif 000002
【図２】
0004372910.tif 000003
【図３】
0004372910.tif 000004
【図４】
0004372910.tif 000005
【図５】
0004372910.tif 000006
【図６】
0004372910.tif 000007
【図７】
0004372910.tif 000008
【図８】
0004372910.tif 000009
【図９】
0004372910.tif 000010